【事件の表示】
　特願２００９−　２８５５２「遊技機」拒絶査定不服審判事件〔平成２２年　８月２６日出願公開、特開２０１０−１８３９６０〕について、次のとおり審決する。
【結　論】
　本件審判の請求は、成り立たない。
【理　由】
第１　手続の経緯  
　本願は、平成２１年２月１０日の出願であって、平成２５年３月２５日付けで拒絶の理由が通知され、平成２５年５月２８日に意見書及び手続補正書が提出されたところ、平成２５年１１月２６日付けで拒絶査定がなされ、それに対して、平成２６年２月１７日に拒絶査定不服審判の請求がなされると同時に明細書及び特許請求の範囲に係る手続補正がなされたものである。  
　
第２　平成２６年２月１７日付けの手続補正についての補正却下の決定  
［補正却下の決定の結論］  
　平成２６年２月１７日付けの手続補正（以下「本件補正」という。）を却下する。 　
 ［理由］  
１ 補正の内容
　本件補正は、特許請求の範囲を補正する内容を含んでおり、本件補正により、特許請求の範囲の請求項１は、
「【請求項１】
　磁性体で製造された遊技球を、障害物が設けられた遊技盤面に沿って自重落下させ、前記障害物に混じって設置された入賞口に入賞することで、賞球を得る遊技実行制御手段を備えた遊技機であって、
　前記遊技盤に取り付けられ、前記遊技盤面に対向して配置されて当該遊技盤を保護するために設けられた透明板を介して発せられる磁気を検出する磁気センサと、
　前記遊技盤の適宜位置、かつ前記磁気センサの磁気検出範囲に設けられ、当該磁気センサが直接検出できない領域の磁気を、指向性を持ってピンポイントで間接的に磁気センサへ伝搬する磁性体と、
を有する遊技機。」
から、
「【請求項１】
　磁性体で製造された遊技球を、障害物が設けられた遊技盤面に沿って自重落下させ、前記障害物に混じって設置された入賞口に入賞することで、賞球を得る遊技実行制御手段を備えた遊技機であって、
　前記遊技盤に取り付けられ、前記遊技盤面に対向して配置されて当該遊技盤を保護するために設けられた透明板を介して発せられる磁気を
検出対象として
と共に、遊技盤に適用される磁力を使った部品から発する磁気を直接検出しない感度に制限された
　
前記感度の制限により直接検出できない領域である
にある検出対象
前記部品から発する磁気を直接検出せずに、
を有する遊技機。」
に補正された（下線は、補正箇所を明示するために審決にて付した。）。
　
　上記補正は、補正前の請求項１に記載した発明を特定するために必要な事項である「磁気センサ」に関して、「磁気を検出対象として検出すると共に、遊技盤に適用される磁力を使った部品から発する磁気を直接検出しない感度に制限された」点、及び「磁性体」に関して、「前記感度の制限により直接検出できない領域である前記遊技盤にある検出対象の磁気を、前記部品から発する磁気を直接検出せずに」磁気センサに伝搬する点を限定したものであって、特許法第１７条の２第５項第２号の特許請求の範囲の減縮を目的とするものに該当する。
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
  
２ 独立特許要件について
（１）刊行物１に記載された発明
　原査定の拒絶の理由に引用文献１として引用された特開平５−２１２１５２号公報（以下「刊行物１」という。）には、図面とともに以下の事項が記載されている（下線は審決で付した。以下同じ。）。  
　
（１−ａ）「【０００２】
【従来の技術】図１１に示すように、
パチンコ遊戯機では、遊戯者２００が磁石１５０をパチンコ台１００の表面ガラス板１０２の前面で動かして、パチンコ球１１０をクギ１０４間の通過路から入賞穴１０５に誘導する不正行為が行われることがある。これに対処するため、一般的に、磁石１５０の磁気を検出するための磁気検出器１２０がパチンコ台１００の台板１０１の裏側に取付けられ、この磁気検出器１２０によって、表面ガラス板１０２の前面に存在する磁石１５０の検出を行っている
【０００３】磁気検出器１２０は、図１２に示すように、ケース１２１とカバー１２２で構成される筐体の内部に、磁気センサ１２４を実装したプリント回路基板１２３が取付けられたものである。基板１２３にはケーブル１２５が接続され、磁気センサ１２４の検出出力が検出器外部に取り出される。なお、磁気検出器１２０は、ケース１２１に穿設した取付穴１２６にネジ等を通して台板１０１に固定される。
【０００４】
【発明が解決しようとする課題】しかし、パチンコ台１００の厚みは非常に厚く、検出器１２０を取付ける台板１０１の裏側からパチンコ球１１０の通過路までの距離は、７０〜１００ｍｍである。これに対し、パチンコ球１１０の通過路から内ガラス１０３及び表面ガラス板１０２を介して磁石１５０までの距離は、１０〜２０ｍｍと非常に短い。このため、磁気検出器１２０で検出されない程度の磁力を持ち、その磁力でパチンコ球１１０を十分吸い付けることができる弱い磁力の磁石を用いれば、パチンコ球１１０を吸い付けて入賞穴１０５まで導くことは可能であり、不正行為は意外と容易に働くことができる。
【０００５】一般に磁石の特性として知られているように、磁石から離れた任意点における磁界の強さは磁石からの距離の２乗に反比例するため、距離が少しでも長くなると任意点における磁力が大幅に弱くなる。このことを踏まえた上で、従来の磁気検出器１２０の磁気検出原理を図１３に示す。この図から分かるように、磁石１５０のＮ極から出た磁力線のほんの一部だけが磁気センサ１２４を通過し、再び空気中に出てＳ極に戻る。このため、従来の磁気検出器では、極僅かの磁気しか検出することができず、非常に強力な磁石を用いた場合や、磁石と検出器との距離が短い場合に限って検出可能である。
【０００６】又、従来の検出器では、単にスイッチングタイプのホールＩＣのみを用い、その出力でリレー等を動作させたり、アナログ出力タイプのホールＩＣや磁気抵抗素子等と電気回路による増幅器とを組合せて出力を増幅し、増幅した出力でリレー等を動作させたりして、警報を発するように構成されている。このため、一定レベル以上の非常に強力な磁石しか検出できないという問題や、磁気入力が少ないのに増幅率だけを増幅器で無理に上げて、結果的に検出信号とノイズとの比（Ｓ／Ｎ比）が小さくなり、誤動作が起き易くなるという問題がある。
【０００７】更に、パチンコ台は比較的広いスペースに多数の入賞穴を有するため、上記特性故に、即ちこれ以上高感度にすることができないため、１台のパチンコ台に多数の磁気検出器を設置しなければ、不正行為の摘発率を上げることができないという欠点もある。従って、
本発明の目的は、弱い磁力の磁石でも広範囲にわたって検出することができ
【０００８】
【課題を解決するための手段】前記目的を達成するために、本発明のパチンコ台用磁気検出器は、磁気センサと、この磁気センサの前方側又は後方側、或いは両側に設けられた磁性体とを備えることを特徴とする。
本発明の磁気検出器では、磁性体によって磁石の磁力線、つまり磁束が磁気センサに集中するように構成してあるため、磁気検出感度が向上すると共に磁気検出領域が広くなり、従来は検出不可能であったような弱い磁石でも広範囲に検出することができる。
　
（１−ｂ）「【００１５】かかる構成の
磁気検出器１は、ケース２の取付穴６にネジ等を通して図１１に示したようなパチンコ台１００の台板１０１の裏側に固定される
【００１６】磁力線自身は常に縮まろうとする性質を持つため、多くの磁力線は吸引力を保ちながら磁石ＭのＮ極、磁性体１１、磁気センサ１０、磁性体１２、空中、磁石ＭのＳ極、の順に達する。従って、
磁性体１１、１２で磁力線をセンサ１０に誘導することになり
【００１７】別実施例を図３に示す。この磁気検出器１’は、磁性体の形状が異なる他は、基本的には先の図１に示す検出器１と同様であり、同じ構成要素には同一符号を付してある。即ち、ケース２とカバー３で形成された筐体内には、磁気センサ１０と、センサ１０の前方側に設けた前方磁性体２１と、センサ１０の後方側に設けた後方磁性体２２と、センサ１０を実装したプリント回路基板１５とが配設されている。この実施例では、磁性体２１は、円板状の部分２１ａと、この円板状部分２１ａの中心に垂直に連結された丸棒状の部分２１ｂとで構成され、磁性体２２は先述の実施例と同様に単なる丸棒状である。また同様に、丸棒状部分２１ｂは、円板状部分２１ａとケース２の内壁との間に介設した環状のバネ材４によって磁気センサ１０に当接され、磁性体２２は、ケース３の円筒状凸部３ａに挿入されると共に、凸部３ａ内に入れたバネ材５によってセンサ１０に圧接される。
【００１８】上記磁気検出器１’の磁気検出原理を図８に示す。前記検出原理により、磁石ＭのＮ極から出た磁力線は磁石Ｍと平行に位置する磁性体２１の円板状部分２１ａのａ点に集中し、ａ点にＳ極が生ずる。すると、磁性体２１の丸棒状部分２１ｂのｂ点に大半のＮ極が発生し、円板状部分２１ａのｃ点には僅かなＮ極が発生する。更に、丸棒状部分２１ｂのｂ点のＮ極は、磁気センサ１０を介して磁性体２２のセンサ１０側をＳ極に、反対側をＮ極に磁気誘導により磁化し、前記と全く同様に磁気センサ１０に磁力線が集中する。このため、磁性体２１の丸棒状部分２１ｂと磁性体２２の長さにも依るが、磁石Ｍとセンサ１０の軸ずれにもかかわらず、磁性体２１の円板状部分２１ａの長さ（直径）に比例した面に在る磁石の磁気を検出することができる。」
 　 
（１−ｃ）「【００２１】更に図６の（ａ）においては、前方側の磁性体８１は、等角度間隔（１２０°）を置いて放射状に延びる３本の角柱状部分を持つ菱形状部分８１ａを有する。同図の（ｂ）と（ｃ）では、いずれも前方側の磁性体が面状体である。つまり、（ｂ）に示す磁性体９１は、矩形状（正方形）の部分９１ａを有し、（ｃ）に示すものは、図３に示した磁気検出器１’で用いたものと同じで、磁性体２１が円板状部分２１ａを有する。
【００２２】これら各種の
磁性体においては
パチンコ台の入賞穴が水平方向に在る場合は図５の（ｂ）に示すものを、或いは入賞穴が三方向に在る場合には図６の（ａ）に示すものを用いるなど、検出方向に応じたものを選定する
　
（１−ｄ）「【００２６】
【発明の効果】以上説明したように、本発明のパチンコ台用磁気検出器は、磁気センサの前方側又は後方側、或いは両側に磁性体を設けたため、下記の効果を有する。
（１）磁気検出範囲が広く、しかも高感度であるため、弱い磁石を用いて不正行為を働いても、その磁石の磁気を確実に検出できる。
（２）複数の入賞穴を含む広い領域を１つの磁気検出器で監視することができるだけでなく、高Ｓ／Ｎ比で且つ安定性・確実性・信頼性の高い磁気検出を行うことができる。」　 
　
（１−ｅ）段落【０００２】、図１１から、パチンコ球を、クギが設けられた台板面に沿って自重落下させ、前記クギに混じって設置された入賞穴に入賞するパチンコ遊戯機であるといえる。
　
（１−ｆ）段落【０００２】から、磁気センサは、台板の裏側に取り付けられ、表面ガラス板の前面に存在する磁石の磁気を検出するものといえる。 
　
（１−ｇ）段落【０００８】、【００１６】、【００２２】から、磁性体は、広範囲にわたる前記台板にある磁石の磁気を、検出方向に応じた形状により磁気センサへ誘導するといえる。
　
　上記の事項を総合すると、刊行物１には、次の発明が記載されていると認められる（以下「刊行物１発明」という。）。  
「パチンコ球を、クギが設けられた台板面に沿って自重落下させ、前記クギに混じって設置された入賞穴に入賞するパチンコ遊戯機であって、
　前記台板の裏側に取り付けられ、表面ガラス板の前面に存在する磁石の磁気を検出する磁気センサと、
　広範囲にわたる前記台板にある磁石の磁気を、検出方向に応じた形状により磁気センサへ誘導する磁性体と、
を有するパチンコ遊戯機。」
 　 
（２）対比
　本願補正発明と刊行物１発明とを対比する。
　
ア　刊行物１発明における「パチンコ球」は、本願補正発明における「磁性体で製造された遊技球」に相当し、以下同様に、「クギ」は「障害物」に、「台板」は「遊技盤」に、「入賞穴」は「入賞口」に、「パチンコ遊戯機」は「遊技機」に、「表面ガラス板」は「透明板」に、それぞれ、相当する。
　
イ　パチンコ遊戯機には、パチンコ球が入賞穴に入賞することで、賞球を得る制御手段を備えていることは、自明な事項であるから、刊行物１発明における「パチンコ球を、クギが設けられた台板面に沿って自重落下させ、前記クギに混じって設置された入賞穴に入賞するパチンコ遊戯機」は、本願補正発明における「磁性体で製造された遊技球を、障害物が設けられた遊技盤面に沿って自重落下させ、前記障害物に混じって設置された入賞口に入賞することで、賞球を得る遊技実行制御手段を備えた遊技機」に相当する。
　
ウ　刊行物１発明において、「表面ガラス板」は、台板面に対向して配置されて当該台板面を保護するために設けられていることは、自明な事項であるから、刊行物１発明における「台板の裏側に取り付けられ、表面ガラス板の前面に存在する磁石の磁気を検出する磁気センサ」と、本願補正発明における「遊技盤に取り付けられ、前記遊技盤面に対向して配置されて当該遊技盤を保護するために設けられた透明板を介して発せられる磁気を検出対象として検出すると共に、遊技盤に適用される磁力を使った部品から発する磁気を直接検出しない感度に制限された磁気センサ」とは、「遊技盤に取り付けられ、前記遊技盤面に対向して配置されて当該遊技盤を保護するために設けられた透明板を介して発せられる磁気を検出対象として検出する磁気センサ」という点で共通する。
　
エ　刊行物１発明における「磁性体」は、「検出方向に応じた形状」であるため指向性を有しているといえるから、刊行物１発明の「磁気を、検出方向に応じた形状により磁気センサへ誘導する」構成は、本願補正発明の「磁気を、指向性を持って間接的に磁気センサへ伝搬する」構成に相当する。
　よって、刊行物１発明における「広範囲にわたる台板にある磁石の磁気を、検出方向に応じた形状により磁気センサへ誘導する磁性体」と本願補正発明における「感度の制限により直接検出できない領域である遊技盤にある検出対象の磁気を、部品から発する磁気を直接検出せずに、指向性を持ってピンポイントで間接的に磁気センサへ伝搬する磁性体」とは、「遊技盤にある検出対象の磁気を、指向性を持って間接的に磁気センサへ伝搬する磁性体」という点で共通する。
　
オ　したがって、本願補正発明と刊行物１発明とは、
「磁性体で製造された遊技球を、障害物が設けられた遊技盤面に沿って自重落下させ、前記障害物に混じって設置された入賞口に入賞することで、賞球を得る遊技実行制御手段を備えた遊技機であって、
　前記遊技盤に取り付けられ、前記遊技盤面に対向して配置されて当該遊技盤を保護するために設けられた透明板を介して発せられる磁気を検出対象として検出する磁気センサと、
　前記遊技盤にある検出対象の磁気を、指向性を持って間接的に磁気センサへ伝搬する磁性体と、
を有する遊技機。」
の点で一致し、以下の点で相違する。
　
［相違点１］
　磁気センサに関して、本願補正発明は、「遊技盤に適用される磁力を使った部品から発する磁気を直接検出しない感度に制限され」ているのに対し、刊行物１発明には、そのような特定がない点。
　
［相違点２］
　磁性体に関して、本願補正発明は、「感度の制限により直接検出できない領域である遊技盤にある検出対象の磁気を、部品から発する磁気を直接検出せずに」、「ピンポイントで」磁気センサへ伝搬するのに対し、刊行物１発明には、広範囲にわたる台板にある磁石の磁気を、磁気センサへ誘導する点。
　
（３）判断
　上記相違点について検討する。
ア　相違点１について
　本願明細書の段落【００５２】、【００５３】には、磁気センサに関して、「この磁気センサ２０８では、真正面が最も感度が高く（検出領域が広く）、所定の指向性（拡散度約４５°）を持っている。すなわち、前記カバーブラケット２０２の
上端部に設けることで
　すなわち、本願補正発明における「遊技盤に適用される磁力を使った部品から発する磁気を直接検出しない感度に制限され」ることは、磁気センサの設置場所により感度を制限することを含むものと解される。
　刊行物１発明には、磁気センサの感度の制限については明示されていないが、このような磁気センサを用いた遊戯機の不正検出装置において、入賞口の開閉動作を行うソレノイド等による磁力があり、その影響を排除することは、周知の課題である（必要であれば、特開昭６３−１４３０８９号公報の第１頁右欄第３〜１５行、特開２００４−２６７４２１号公報の段落【０００６】参照。）。
　そして、上記周知の課題を解決するために、刊行物１発明において、磁気センサに関して、このような入賞口の開閉動作を行うソレノイド等による磁力の影響を受けないように設置し、「遊技盤に適用される磁力を使った部品から発する磁気を直接検出しない感度に制限され」るように構成することは、当業者であれば容易に想到し得たことである。
　したがって、刊行物１発明において、上記相違点１に係る本願補正発明の構成となすことは、当業者が上記周知の課題に基づいて容易になし得たことである。
　
イ　相違点２について
　刊行物１の段落【０００８】には、「本発明の磁気検出器では、磁性体によって磁石の磁力線、つまり磁束が磁気センサに集中するように構成してあるため、磁気検出感度が向上すると共に磁気検出領域が広くなり、従来は検出不可能であったような弱い磁石でも広範囲に検出することができる。」と記載されているから、刊行物１発明における「広範囲」とは、「磁気センサで直接検出できない領域」を含むものと解される。
　そして、刊行物１発明の磁性体は「検出方向に応じた形状」であり、指向性を有するものであるから、磁性体の形状等を変えることにより、磁気を「ピンポイント」で磁気センサに伝搬するように構成することは、当業者が適宜なし得ることである。
　また、上記相違点１における検討を踏まえれば、刊行物１発明において、磁性体に関して、「感度の制限により直接検出できない領域である遊技盤にある検出対象の磁気を、部品から発する磁気を直接検出せずに」、「ピンポイントで」磁気センサへ伝搬するように構成することは、当業者であれば容易に想到し得たことである。
　したがって、刊行物１発明において、上記相違点２に係る本願補正発明の構成となすことは、当業者が容易になし得たことである。
　
ウ　本願補正発明が奏する効果について
　上記相違点１及び相違点２によって本願補正発明が奏する効果は、当業者が刊行物１発明から予測し得る程度のものであって、格別のものではない。　
　
エ　まとめ
　以上のように、本願補正発明は、当業者が刊行物１発明に基づいて容易に発明をすることができたものであるから、特許法第２９条第２項の規定により、特許出願の際独立して特許を受けることができない。
　
３ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
　
第３　本願発明について  
１　本願発明  
　本件補正は上記のとおり却下されたので、本願の各請求項に係る発明は、平成２５年５月２８日付け手続補正書により補正された特許請求の範囲に記載されたとおりのものであり、特に、請求項１に係る発明（以下「本願発明」という。）は次のとおりである。
「【請求項１】
　磁性体で製造された遊技球を、障害物が設けられた遊技盤面に沿って自重落下させ、前記障害物に混じって設置された入賞口に入賞することで、賞球を得る遊技実行制御手段を備えた遊技機であって、
　前記遊技盤に取り付けられ、前記遊技盤面に対向して配置されて当該遊技盤を保護するために設けられた透明板を介して発せられる磁気を検出する磁気センサと、
　前記遊技盤の適宜位置、かつ前記磁気センサの磁気検出範囲に設けられ、当該磁気センサが直接検出できない領域の磁気を、指向性を持ってピンポイントで間接的に磁気センサへ伝搬する磁性体と、
を有する遊技機。」
  
２　刊行物  
　刊行物１及びその記載事項並びに刊行物１発明は、上記「第２　２」に記載したとおりである。  
  
３　対比・判断  
　本願発明は、上記「第２」で検討した本願補正発明から「磁気センサ」に関して、「磁気を検出対象として検出すると共に、遊技盤に適用される磁力を使った部品から発する磁気を直接検出しない感度に制限された」点、及び「磁性体」に関して、「前記感度の制限により直接検出できない領域である前記遊技盤にある検出対象の磁気を、前記部品から発する磁気を直接検出せずに」磁気センサに伝搬する点を省いたものである。  
　そうすると、本願発明の特定事項を全て含み、さらに他の特定事項を付加したものに相当する本願補正発明が、上記「第２　２」に記載したとおり、刊行物１発明に基づいて当業者が容易に発明をすることができたものであるから、本願発明も、同様の理由により、当業者が刊行物１発明に基づいて容易に発明をすることができたものである。 
　
４　むすび  
　以上のとおりであるから、本願発明は、特許法第２９条第２項の規定により特許を受けることができない。  
　したがって、その余の請求項について検討するまでもなく、本願は、拒絶されるべきものである。  
　よって、結論のとおり審決する。